(57)【要約】【課題】  媒体の性状や、当該媒体に対する画像形成の条件によらず、適切に現出するコピー牽制模様を形成させることのできるコピー牽制模様生成装置を提供する。【解決手段】  各ページに対応する、複数の画像の各々とともに媒体上に形成され、複写によって現出するコピー牽制模様、を生成するため、制御部１１が媒体の性状に係る媒体性状情報と、各ページの当該媒体上への形成態様に係る情報との少なくとも一方を取得し、取得した媒体性状情報と形成態様に係る情報との少なくとも一方が所定の条件に合致するときに、各ページの画像とともに形成されるべきコピー牽制模様を調整し、当該調整されたコピー牽制模様を生成する。【選択図】        図１
2005072722.tif 000002
【特許請求の範囲】
【請求項１】
各ページに対応する、複数の画像の各々とともに媒体上に形成され、複写によって現出するコピー牽制模様、を生成するコピー牽制模様生成装置であって、
前記媒体の性状に係る媒体性状情報と、前記各ページの当該媒体上への形成態様に係る情報との少なくとも一方を取得する手段と、
前記取得した媒体性状情報と形成態様に係る情報との少なくとも一方が所定の条件に合致するときに、各ページの画像とともに形成されるべきコピー牽制模様を調整し、当該調整されたコピー牽制模様を生成する生成手段と、
を含む、ことを特徴とするコピー牽制模様生成装置。
【請求項２】
請求項１に記載のコピー牽制模様生成装置であって、
前記生成手段は、前記取得した媒体性状情報と形成態様に係る情報との少なくとも一方が所定の条件に合致するときに、各ページの画像とともに形成されるべきコピー牽制模様の濃度を調整し、当該調整されたコピー牽制模様を生成する
ことを特徴とするコピー牽制模様生成装置。
【請求項３】
請求項２に記載のコピー牽制模様生成装置であって、
前記生成手段は、前記コピー牽制模様の濃度を調整する際に、媒体性状情報が取得されているときには、当該媒体性状情報に基づいて調整量を決定し、当該決定した調整量だけ濃度を調整して、当該調整されたコピー牽制模様を生成する
ことを特徴とするコピー牽制模様生成装置。
【請求項４】
請求項１から３のいずれか一項に記載のコピー牽制模様生成装置において、
前記生成手段は、前記取得した媒体性状情報と形成態様に係る情報との少なくとも一方が所定の条件に合致するときに、各ページの画像とともに形成されるべきコピー牽制模様の形成位置又は色の少なくとも一方を調整し、当該調整されたコピー牽制模様を生成する
ことを特徴とするコピー牽制模様生成装置。
【請求項５】
請求項１から４のいずれか一項に記載のコピー牽制模様生成装置において、
前記生成手段は、前記取得した媒体性状情報と形成態様に係る情報との少なくとも一方が所定の条件に合致するときに、各ページの画像とともに形成されるべきコピー牽制模様の形成の向きを調整し、当該調整されたコピー牽制模様を生成する
ことを特徴とするコピー牽制模様生成装置。
【請求項６】
請求項１から５のいずれか一項に記載のコピー牽制模様生成装置において、
前記生成手段は、形成態様に係る情報の少なくとも一部として綴じ方向の設定情報を取得し、当該綴じ方向の設定情報に基づいて、各ページの画像とともに形成されるべきコピー牽制模様を調整し、当該調整されたコピー牽制模様を生成する
ことを特徴とするコピー牽制模様生成装置。
【請求項７】
各ページに対応する、複数の画像の各々とともに媒体上に形成され、複写によって現出するコピー牽制模様、を製造する方法であって、
前記媒体の性状に係る媒体性状情報と、前記各ページの当該媒体上への形成態様に係る情報との少なくとも一方を取得する工程と、
前記取得した媒体性状情報と形成態様に係る情報との少なくとも一方が所定の条件に合致するときに、各ページの画像とともに形成されるべきコピー牽制模様を調整し、当該調整されたコピー牽制模様を製造する工程と、
を含む、ことを特徴とするコピー牽制模様の製造方法。
【請求項８】
画像とともに、複写によって現出するコピー牽制模様が、その両面に形成された印刷記録媒体であって、
表面側のコピー牽制模様と、裏面側のコピー牽制模様とが左右又は上下の少なくともいずれか一方の向きに対して対称に形成されている、
ことを特徴とする印刷記録媒体。
【請求項９】
コンピュータに、各ページに対応する、複数の画像の各々とともに媒体上に形成され、複写によって現出するコピー牽制模様、を生成させるプログラムであって、
前記媒体の性状に係る媒体性状情報と、前記各ページの当該媒体上への形成態様に係る情報との少なくとも一方を取得する手順と、
前記取得した媒体性状情報と形成態様に係る情報との少なくとも一方が所定の条件に合致するときに、各ページの画像とともに形成されるべきコピー牽制模様を調整し、当該調整されたコピー牽制模様を製造する手順と、
を、前記コンピュータに実行させることを特徴とするプログラム。
【発明の詳細な説明】
【技術分野】
【０００１】
本発明は、複写によって現出するコピー牽制模様を生成するコピー牽制模様生成装置に関する。
【背景技術】
【０００２】
昨今のコンピュータ技術の進展により、例えば企業などでは、各従業員がいつでも容易にドキュメントを印刷できるようになってきている。また、複写機による複写画質の向上に伴い、原本と識別困難な複写物も容易に作成できるようになってきている。このため、一方では、原本と識別困難な複写物が漏洩し、原本と誤認されて扱われることによる不都合の発生も懸念されている。
【０００３】
そこで例えば、ドキュメントに対して複写時に現出するコピー牽制模様を合成して印刷しておくことで、原本の視認性をある程度維持しつつ、複写物に「ＣＯＰＹ」等の画像を現出させて複写物であることを明示できるようにする専用の用紙に印刷することが行われている。
【０００４】
また、特許文献１に開示の技術を利用すると、一般的なプリンタ装置で、普通紙に対して、この特殊なコピー牽制模様を形成させることができる。具体的に特許文献１には、略同じ濃度の２つの異なるディザパターンによってコピー牽制パターンを形成し、印刷対象のデータに重ね合わせて印刷する技術が開示されている。
【特許文献１】特開２００１−２３８０７５号公報
【発明の開示】
【発明が解決しようとする課題】
【０００５】
しかしながら、上記従来の特許文献１に記載の技術によると、媒体（用紙等）の両面に印刷する場合などにおいて、次のような問題が発生していた。
【０００６】
すなわち、例えば厚みが所定厚さ未満の用紙両面にコピー牽制模様を合成した画像を形成すると、複写機でスキャンしたときに、スキャンする面に形成されたコピー牽制模様だけでなく、スキャンする面の裏面に形成されたコピー牽制模様が用紙を透かして読み取られてしまい、複写時に現出するべき画像がきれいに現出しないことがある。
【０００７】
本発明は上記実情に鑑みて為されたもので、媒体の性状や、当該媒体に対する画像形成の条件によらず、適切に現出するコピー牽制模様を形成させることのできるコピー牽制模様生成装置を提供することを、その目的の一つとする。
【課題を解決するための手段】
【０００８】
上記従来例の問題点を解決するための本発明は、各ページに対応する、複数の画像の各々とともに媒体上に形成され、複写によって現出するコピー牽制模様、を生成するコピー牽制模様生成装置であって、前記媒体の性状に係る媒体性状情報と、前記各ページの当該媒体上への形成態様に係る情報との少なくとも一方を取得する手段と、前記取得した媒体性状情報と形成態様に係る情報との少なくとも一方が所定の条件に合致するときに、各ページの画像とともに形成されるべきコピー牽制模様を調整し、当該調整されたコピー牽制模様を生成する生成手段と、を含む、ことを特徴としている。
【０００９】
またここで、前記生成手段は、前記取得した媒体性状情報と形成態様に係る情報との少なくとも一方が所定の条件に合致するときに、各ページの画像とともに形成されるべきコピー牽制模様の濃度を調整し、当該調整されたコピー牽制模様を生成することとしてもよい。さらに、前記生成手段は、前記コピー牽制模様の濃度を調整する際に、媒体性状情報が取得されているときには、当該媒体性状情報に基づいて調整量を決定し、当該決定した調整量だけ濃度を調整して、当該調整されたコピー牽制模様を生成することとしてもよい。
【００１０】
さらに、これらにおいて、前記生成手段は、前記取得した媒体性状情報と形成態様に係る情報との少なくとも一方が所定の条件に合致するときに、各ページの画像とともに形成されるべきコピー牽制模様の形成位置又は色の少なくとも一方を調整し、当該調整されたコピー牽制模様を生成することとしてもよいし、前記取得した媒体性状情報と形成態様に係る情報との少なくとも一方が所定の条件に合致するときに、各ページの画像とともに形成されるべきコピー牽制模様の形成の向きを調整し、当該調整されたコピー牽制模様を生成することとしてもよい。
【００１１】
また、前記生成手段は、形成態様に係る情報の少なくとも一部として綴じ方向の設定情報を取得し、当該綴じ方向の設定情報に基づいて、各ページの画像とともに形成されるべきコピー牽制模様を調整し、当該調整されたコピー牽制模様を生成することとしてもよい。
【００１２】
各ページに対応する、複数の画像の各々とともに媒体上に形成され、複写によって現出するコピー牽制模様、を製造する方法であって、前記媒体の性状に係る媒体性状情報と、前記各ページの当該媒体上への形成態様に係る情報との少なくとも一方を取得する工程と、前記取得した媒体性状情報と形成態様に係る情報との少なくとも一方が所定の条件に合致するときに、各ページの画像とともに形成されるべきコピー牽制模様を調整し、当該調整されたコピー牽制模様を製造する工程と、を含む、ことを特徴としている。
【００１３】
また、上記従来例の問題点を解決するための本発明は、画像とともに、複写によって現出するコピー牽制模様が、その両面に形成された印刷記録媒体であって、表面側のコピー牽制模様と、裏面側のコピー牽制模様とが左右又は上下の少なくともいずれか一方の向きに対して対称に形成されている、こととしている。
【００１４】
さらに、本発明のある態様に係るプログラムは、コンピュータに、各ページに対応する、複数の画像の各々とともに媒体上に形成され、複写によって現出するコピー牽制模様、を生成させるプログラムであって、前記媒体の性状に係る媒体性状情報と、前記各ページの当該媒体上への形成態様に係る情報との少なくとも一方を取得する手順と、前記取得した媒体性状情報と形成態様に係る情報との少なくとも一方が所定の条件に合致するときに、各ページの画像とともに形成されるべきコピー牽制模様を調整し、当該調整されたコピー牽制模様を製造する手順と、を、前記コンピュータに実行させることを特徴としている。
【発明を実施するための最良の形態】
【００１５】
本発明の実施の形態について図面を参照しながら説明する。本発明の実施の形態に係るコピー牽制模様生成装置１は、図１に示すように、制御部１１と、記憶部１２と、操作部１３と、表示部１４と、通信部１５とを含んで構成され、プリンタ２や、スキャナ３とに通信可能に接続されている。
【００１６】
制御部１１は、記憶部１２に格納されているプログラムに従って動作しており、ユーザからの指示に従って、印刷の対象となる画像データ（印刷対象画像データと呼ぶ）をスキャナ３から受け入れて、コピー牽制模様のデータを生成し、受け入れた画像データに生成したコピー牽制模様のデータを合成してプリンタ２に出力する。ここで、この画像データがページごとに分かれて受け入れられているときには、各ページに対応する画像データ部分ごとに、コピー牽制模様のデータを合成することになる。
【００１７】
本実施の形態において特徴的なことの一つは、この制御部１１がコピー牽制模様データを生成する際に、プリンタ２に対する指示に含まれる、媒体への形成態様に関する条件設定等を参照し、各ページの画像に合成するコピー牽制模様を調整することである。この調整の処理については、後に詳しく述べる。
【００１８】
なお、ここで媒体への形成態様に関する条件としては、用紙サイズ、両面印刷の有無、綴じ方向（長辺綴、短辺綴の別）に関する条件が含まれ、これら形成態様に関する条件は、コピー牽制模様のデータを合成した後の画像データ（以下、合成データと呼ぶ）とともに、指示情報としてプリンタ２に出力される。
【００１９】
記憶部１２は、制御部１１によって実行されるプログラムを格納したコンピュータ可読な記録媒体を含む。また、この記憶部１２は、制御部１１の処理の過程で生じる種々の情報を保持する、ワークメモリとしても動作する。操作部１３は、キーボード等であり、ユーザから入力される指示の内容を制御部１１に出力する。表示部１４は、ディスプレイ等であり、制御部１１から入力される指示に従って情報を表示する。
【００２０】
通信部１５は、ネットワーク等に接続され、制御部１１から入力される指示に従って情報を外部（例えばプリンタ２等）に送出する。また、この通信部１５は、外部（例えばスキャナ３等）から受信される情報を、制御部１１に出力する。
【００２１】
プリンタ２は、コピー牽制模様生成装置１から入力される指示情報に従って、シート状の印刷記録媒体である用紙に画像を形成する。具体的にこのプリンタ２は、コピー牽制模様生成装置１から、指示情報として、用紙サイズの指定、両面印刷の指定、綴じ方向の指定（長辺綴、短辺綴の別）などとともに、コピー牽制模様が合成されている画像データを取得する。
【００２２】
そしてプリンタ２は、指定されたサイズの用紙を用紙トレイから搬送し、両面印刷が指定されていなければ、当該搬送した用紙の片面側に合成データに係る画像を形成して、当該用紙を排出する。また、プリンタ２はある例においては、両面印刷が指定されているときには、綴じ方向の指定を参照し、それが長辺綴（すなわち用紙の長辺を綴じる指定）であれば、取得した各ページの合成データの画像をそのまま用紙の両面に形成して、当該用紙を排出する。この場合さらに、両面印刷が指定され、綴じ方向が短辺綴（すなわち用紙の短辺を綴じる指定）であれば、奇数ページに対応する合成データはそのまま用紙の一面に形成し、偶数ページに対応する合成データは上下方向を反転させて、奇数ページの形成面の裏面側に、当該反転させた合成データを形成して、用紙を排出する。
【００２３】
すなわち図２の例を参照して説明すれば、長辺綴を行うときには図２（ａ）に示すように、奇数ページ（ページ１など）と、偶数ページ（ページ２など）は同じ向きに形成すれば、図２（ｂ）に示すように綴じられることとなる。しかし短辺綴じを行う場合、図２（ｃ）に示すように、偶数ページを反転して形成することで初めて、図２（ｄ）に示すように綴じられることとなる。つまり、プリンタ２では両面印刷の指定があったときに、綴じ方向の指定によっては画像データの向きが反転されるのである。
【００２４】
スキャナ３は、読み取り面上に置かれた媒体の、当該読み取り面側を光学的にスキャンし、スキャンによって得られる画像データを出力している。
【００２５】
ここで、制御部１１のコピー牽制模様の調整の処理の例について、図３（ａ）を参照しながら説明する。制御部１１は、まずコピー牽制模様の元となるデータとして予め設定されている潜像設定データに基づいて、コピー牽制模様データを生成する（Ｓ１）。具体的にこの潜像設定データは、「ＣＯＰＹ」等の固定の文字列の指定であってもよいし、日時やユーザー名等のいつ、誰が印刷を指示したかを示す、印刷ごとに変化する文字列の指定であってもよい。さらに、画像データを含んでもよい。制御部１１は、これらの潜像設定データをラスタライズしてビットマップとしてのコピー牽制模様データを生成する。具体的にコピー牽制模様データは、図４に示すように背景部分用の第１ディザパターンと、画像部分用の第２ディザパターンとの組み合わせによって構成され、複写後は、第２ディザパターン部分が現出する。なお、第１、第２ディザパターンは、それぞれに互いに略同一濃度のパターンのセットを含んでもよい。また、ここで示す例とは逆に、複写後に第１ディザパターンが現出し、第２ディザパターンが消失するようにしてもよい。なお、第１および第２のディザパターンは、コピー牽制模様として機能するならばどのような線数やスクリーン角のディザパターンを用いてもよく、ディザの種類も問わない。また、誤差拡散法によって形成してもよい。
【００２６】
制御部１１は、次に調整の必要があるか否かを判断する。すなわち、制御部１１は、データユーザによって指定された、媒体への形成態様に関する条件設定を参照し、両面印刷が有りとなっているか否かを判断する（Ｓ２）。ここで両面印刷が「なし」であれば、そのまま処理を終了する。また、処理Ｓ２において、両面印刷が「あり」であれば、処理Ｓ１で生成したコピー牽制模様データの濃度を所定の濃度（例えば１０％）だけ低減させ（Ｓ３）、処理を終了する。具体的に、この処理Ｓ３では、処理Ｓ１で生成されたビットマップ画像のドット密度を低減させる。この処理Ｓ２において判断される両面印刷の有無等が、本発明にいう所定の条件の例に相当する。
【００２７】
また、この図３（ａ）に示した処理に代えて、図３（ｂ）の例に示す処理を行ってもよい。すなわち記憶部１２に、互いに異なる濃度に調整された複数の第２ディザパターンを格納しておき、制御部１１は、まずコピー牽制模様データの調整の必要があるか否かを判断する。すなわち、制御部１１は、データユーザによって指定された、媒体への形成態様に関する条件設定を参照し、両面印刷が有りとなっているか否かを判断する（Ｓ１１）。ここで両面印刷が「なし」であれば、記憶部１２に格納されている複数の第２ディザパターンのうち、比較的濃度の濃い第２ディザパターンを用いて、予め設定されている潜像設定データに基づいて、コピー牽制模様データを生成し（Ｓ１２）、処理を終了する。
【００２８】
また制御部１１は、処理Ｓ１１において、両面印刷が「あり」であれば、記憶部１２に格納されている複数の第２ディザパターンのうち、比較的濃度の薄い第２ディザパターンを用いて、予め設定されている潜像設定データに基づいて、コピー牽制模様データを生成し（Ｓ１３）、処理を終了する。
【００２９】
つまり、先にビットマップのコピー牽制模様データを生成して、当該コピー牽制模様データを調整してもよいし、コピー牽制模様データをラスタライズする際のパラメータを調整しておき、当該調整されたパラメータを用いてラスタライズを行ってコピー牽制模様データを得てもよい。
【００３０】
また、制御部１１によって行われる調整の処理は、コピー牽制模様データの濃度に関する処理ばかりではない。例えば、コピー牽制模様データの向きを調整してもよい。このような処理は、濃度を低下させることが好ましくない場合、具体的には背景部分に情報を埋め込む場合などに好適である。つまりコピー牽制模様データのうち、背景部分のパターンを、データ値「０」，「１」に対応づけた「／」や「＼」といった画像で構成しておけば、データ値の列（符号）を、画像に埋め込むことができるが、この場合に当該コピー牽制模様データの濃度を低下させてしまうと、データ値の列を読み出すことが困難になることも考えられる。このような場合には媒体の表面側と裏面側とに埋め込むデータ値の列を同じものにしておくとともに、当該データ値を表現した画像が裏写りした状態で、表側の当該画像と重なりあって視認できるように、コピー牽制模様の向きを調整するのである。
【００３１】
このために制御部１１は、もともと図５（ａ）に示すようなコピー牽制模様データについて次のように向きを変更する。すなわち、制御部１１は、両面印刷が「あり」である場合に、現在形成しようとしているページが奇数ページであるか偶数ページであるかを判断し、例えば偶数ページであるときにだけ、綴じ方向の条件を参照して、それが長辺綴であれば図５（ｂ）に示すように左右方向を反転したコピー牽制模様データを生成し、短辺綴であれば図５（ｃ）に示すように上下方向を反転したコピー牽制模様データを生成する。これらにより、図示した対称軸について反転した状態で裏写りした画像が視認され、いずれの場合でも図５（ｄ）に示すように正立して視認できるようになる。なお、図５では反転の状態が分かりやすいように、「／」や「＼」の画像にそれぞれ矢印を付している。
【００３２】
また、ここでは偶数ページに形成するべきコピー牽制模様データについて反転しているが、奇数ページについてだけ反転することとしてもよい。つまり、媒体の表面と裏面とのそれぞれに形成するコピー牽制模様データが互いに反転した状態となっていればよい。これにより表面側のコピー牽制模様と、裏面側のコピー牽制模様とが左右又は上下の少なくともいずれか一方の向きに対して対称に形成され、裏写りしたコピー牽制模様が複写時に現出したときに、表側のコピー牽制模様と重なりあい、符号の読み取りが阻害されるのを防止できる。また、制御部１１は、データが埋め込まれていない画像部分についてはこの反転の処理を行わないようにしてもよい。
【００３３】
さらに、制御部１１によって行われる調整の処理の別の例として、媒体の表面と裏面とで、コピー牽制模様の色を互いに異なるものとしてもよい。このように色を変更しておくことで、当該コピー牽制模様を読み取ったときに、裏写りにより劣化した色成分を除去（ないし無視）する処理等を行うことで、コピー牽制模様に含まれる符号を、容易に復号できる。
【００３４】
さらに、制御部１１は予め、用紙の厚みや用紙の質など、媒体の性状に関する情報（媒体性状情報）をユーザ側から取得しておき、この用紙の厚み等に関する情報を、調整の処理に資してもよい。具体的には、用紙の厚みが所定の処理要否に係るしきい値（処理要否しきい値）を超えている場合には、両面印刷の指定がされていても、調整処理を行わないようにしてもよい。
【００３５】
また、用紙の厚みに応じて濃度の調整量を変更してもよい。具体的には、用紙の厚みが薄くなるにつれて、濃度も薄くなるようにする。また、用紙の厚みが予め定められた、反転要否に係るしきい値（反転要否しきい値）を下回ったときにのみ、コピー牽制模様データの向きを調整するようにしてもよい。さらに、これら濃度調整や反転などの処理は組み合わせて用いられてもよい。
【００３６】
次に、本実施の形態のコピー牽制模様生成装置の動作について説明する。なお、以下の例では、印刷対象画像データが、ＰＤＬ（ページ記述言語）で記述されている場合を例として説明する。このページ記述言語では、少なくとも、次の各表に示すコマンドを利用することができるものとする。
【００３７】
【表１】
2005072722.tif 000003
【００３８】
【表２】
2005072722.tif 000004
【００３９】
ここで示すように、このＰＤＬの仕様によれば、両面印刷の指定が、コマンド「Duplex」によって行われ、その際の引数として綴じ方向が設定される。つまり、綴じ方向の設定は両面印刷の指定があるときにしか行うことができないようになっている。
【００４０】
また、ラスタライズされた画像データの描画は、コマンド「DrawImage」によって行うことができ、その描画の対象となる画像データは、このコマンドの引数となる。ここで示す例では、コピー牽制模様データは、ラスタライズされたビットマップデータとして与えられるもので、このコマンドの引数としては、例えば白黒２値のビットマップであれば、各画素の色を、白に対応する値（例えば「０」で表す）又は黒に対応する値（例えば「１」で表す）で表現して配列した２進数表現したもの等である。なお、グレイスケールやカラーの画像の場合、各画素の色に対応する値を画素の順（例えばラスタースキャンの順、すなわち左から右へ、上から下へ）に配列したものとすればよい。
【００４１】
さて、ここでユーザが、２４ポイントのゴシック体で、ページ１に「テスト１」と記述し、ページ２に「テスト２」と記述したドキュメントを作成し、このドキュメントを、長辺綴で、用紙の両面に印刷するとの形成態様に関する条件設定を指定すると、印刷対象画像データは、例えば図６（ａ）に示すように生成される。ここでは、両面印刷の指定（Ｘ）が「長辺綴」の引数（LongEdge）とともに指定されている。
【００４２】
ここでコピー牽制模様生成装置１の制御部１１が、この印刷対象画像データから両面印刷の指定の有無を調べ、両面印刷が「あり」となっているので、記憶部１２に格納されている複数の第２ディザパターンのうち、比較的濃度の薄い第２ディザパターンを用いて、予め設定されている潜像設定データに基づいて、コピー牽制模様データを生成する。
【００４３】
そして制御部１１は、ここで生成されるコピー牽制模様データをＰＤＬに合成するためコマンド列を生成してコピー牽制模様データの先頭に挿入し、図６（ｂ）に示すような合成データを生成し、この合成データを、各物理ページの開始コマンドから終了コマンドまでの間、例えば終了コマンドの直前等に挿入する（図６（ｃ））。なお、例えば２ページ分の印刷対象画像データを縮小して、用紙の１面に合成して印刷する機能を有するプリンタ２等もあり、その場合は、各ページを論理ページとして指定することとなるのであるが、各論理ページごとに合成データを挿入すると、合成データまでもが縮小されることとなる。これが好ましくない場合は、論理ページが複数あっても、物理ページごとに合成データを挿入すればよい。このためには物理ページの指定である「StartPage」から「EndPage」までの間であって、論理ページを指定する「StartLogicalPage」から「EndLogicalPage」の外に合成データを挿入すればよい。なお、ページの形成を一括指定するコマンドを必要とするＰＤＬの場合には、当該コマンドの直前に挿入すればよい。
【００４４】
またユーザが、上記ドキュメントを、長辺綴で、用紙の両面に印刷するとの形成態様に関する条件設定を指定するとともに、コピー牽制模様データの背景部分にデータ列を埋め込む指定を行ったときには、コピー牽制模様生成装置１の制御部１１が、この印刷対象画像データから両面印刷の指定の有無を調べるとともに、データ列の埋め込みが指定されていることを検出する。
【００４５】
そして制御部１１は、まずデータ列を埋め込んだコピー牽制模様データを生成して記憶部１２に格納しておくとともに、両面印刷の指定とともに受け入れた長辺綴の指定に基づき、当該コピー牽制模様データの少なくともデータ列を埋め込んだ部分を上下に反転した反転コピー牽制模様データを生成する。
【００４６】
そして制御部１１は、コピー牽制模様データと反転コピー牽制模様データとを、それぞれＰＤＬに合成するためコマンド列を生成して各データの先頭に挿入して合成データを生成し、奇数ページ目に相当する物理ページの終了コマンド直前にはコピー牽制模様データに対応する合成データを挿入し、偶数ページ目に相当する物理ページの終了コマンド直前には反転コピー牽制模様データに対応する合成データを挿入する。
【００４７】
これにより、奇数ページ目のコピー牽制模様データを読み取れば、その裏面に形成されたコピー牽制模様データ内の符号対応部分（この例では背景画像部分）が、奇数ページ目のコピー牽制模様データに重なりあって、符号部分の画像に裏写りによるノイズが重畳することが防止され、符号部分を正確に読み取ることができるようになる。
【００４８】
またコピー牽制模様生成装置１の処理に係るプログラムは、例えばコンピュータのプリンタドライバソフトウエアに組み込まれていてもよい。さらにここまでの説明では、コピー牽制模様生成装置１とプリンタ２やスキャナ３とは別体の装置として示してきたが、これらは一体の装置（例えば複合機）として構成されてもよい。
【００４９】
さらに、ここまでの説明では、ＰＤＬに加工することでコピー牽制模様を調整する処理を例として述べたが、本実施の形態のコピー牽制模様生成装置は、この例にとどまるものではなく、例えば、画像形成のためにラスタライズした結果として得られたラスタ画像データに対してコピー牽制模様を合成するようにしてもよい。このようにすると、例えばプリンタ装置に組み込んだときに、形成の直前に調整されたコピー牽制模様が合成されるので、コピー牽制模様の形成を回避する不正行為を効果的に抑制できる。
【００５０】
このようにラスタ画像データに対して合成するコピー牽制模様を、上記のように調整するか否かにあたり、コピー牽制模様生成装置１は、外部（例えばプリンタ２の制御部や、プリンタ２に対して印刷指示を出力するコンピュータ装置等）から媒体の性状に係る情報や、両面印刷か否かなど媒体上への形成態様に係る情報を取得して、当該取得した情報に基づいてコピー牽制模様の調整を行うか否かを判断すればよい。
【００５１】
また、本実施の形態のコピー牽制模様生成装置を複写機等に組み込むことで、例えば当該複写機において原稿を複写する際に、ユーザの指示操作により上記調整されたコピー牽制模様を形成することとしてもよい。ここで指示操作は、コピー牽制模様を生成するべき指示の操作であってもよいし、複写物を片面に形成するか両面に形成するかの指示の操作であってもよい。後者のように、複写物を片面に形成するか両面に形成するかの指示の操作である場合、片面の指示であれば、上記の調整をせずに生成したコピー牽制模様を媒体上に形成し、両面の指示であれば、上記調整を行って生成したコピー牽制模様を媒体上に形成することとすればよい。
【００５２】
このように、本実施の形態によると、用紙などの媒体の性状や、当該媒体に対する画像形成の条件によらず、適切に現出し、機能するコピー牽制模様を形成させることができるようになる。
【図面の簡単な説明】
【００５３】
【図１】本発明の実施の形態に係るコピー牽制模様生成装置と、その外部装置への接続状態例を表す構成ブロック図である。
【図２】両面印刷時の印刷対象画像データの形成態様例を表す説明図である。
【図３】本発明の実施の形態に係るコピー牽制模様生成装置における処理の例を表すフローチャート図である。
【図４】コピー牽制模様データの形成例を表す説明図である。
【図５】両面印刷時のコピー牽制模様データの形成態様例を表す説明図である。
【図６】ページ記述言語中にコピー牽制模様データを合成する例を表す説明図である。
【符号の説明】
【００５４】
１  コピー牽制模様生成装置、２  プリンタ、３  スキャナ、１１  制御部、１２  記憶部、１３  操作部、１４  表示部、１５  通信部。
【図１】
2005072722.tif 000005
【図２】
2005072722.tif 000006
【図３】
2005072722.tif 000007
【図４】
2005072722.tif 000008
【図５】
2005072722.tif 000009
【図６】
2005072722.tif 000010